(57)【特許請求の範囲】
【請求項１】
開口枠（１）に固定したベース（４）と、ベース（４）に設けた支軸（５）で開口枠（１）の内外方向へ揺動自在に支持される牽制アーム（６）と、窓（２）に固定した牽制アーム（６）用の掛止ピン（７）とを備えており、
牽制アーム（６）の板面に掛止ピン（７）用の係合溝が設けられていて、この係合溝は、窓（２）を閉じた状態において掛止ピン（７）の進入を許す導入溝（１２）と、導入溝（１２）に連続してアーム揺動端側へ延びるガイド溝（１３）と、ガイド溝（１３）の先端に連続するロック溝（１４）とを含み、
ベース（４）に、牽制アーム（６）の動きを制御するアームロック（８）が設けられており、
アームロック（８）は、開口枠（１）の縦枠の枠内面において屋内に臨む操作用の操作用つまみ（２２）を有し、
窓（２）を閉じた状態において、ベース（４）に対してアームロック（８）が、前記つまみ（２２）を介して全開放位置と、換気開放位置とに操作可能に支持されており、
アームロック（８）が前記全開放位置にあるとき、アームロック（８）は、牽制アーム（６）を揺動不能に係合保持して牽制アーム（６）が開口枠（１）に沿うほぼ垂直の待機状態に維持することにより、窓（２）を閉じ位置からそのまま全開放操作することができ、
アームロック（８）が前記換気開放位置にあるとき、アームロック（８）は牽制アーム（６）との係合を解除して牽制アーム（６）が前記支軸（５）を中心にして屋外側へ揺動自在となることにより、窓（２）を開き操作することに伴い、掛止ピン（７）が導入溝（１２）からガイド溝（１３）へ進入したのちロック溝（１４）が掛止ピン（７）と係合して窓（２）を換気位置に固定できるようにしたことを特徴とする窓換気用のステー。
【請求項２】
牽制アーム（６）とベース（４）との間には、待機状態において牽制アーム（６）を屋外側へ向かって揺動付勢するばね（９）が設けられており、
ばね（９）が、互いに接近する向きにくせ付けされた一対のばね腕（９ｂ・９ｃ）と、コイル部（９ａ）とを備えた∝字状のねじりコイルばねからなり、
ばね（９）は、コイル部（９ａ）が支軸（５）に回動可能に支持されて、一対のばね腕（９ｂ・９ｃ）がベース（４）と牽制アーム（６）に設けたばね受け（１５・１６）とにそれぞれ掛止してある請求項１記載の窓換気用のステー。
【請求項３】
アームロック（８）と牽制アーム（６）とが、牽制アーム（６）の揺動変位を吸収する逃げ溝（２５）を備えたリンク（１０）を介して連結されており、
アームロック（８）が前記換気開放位置にあって、掛止ピン（７）がロック溝（１４）と係合した状態では、牽制アーム（６）がばね（９）で屋内側へ揺動付勢されて、掛止ピン（７）とロック溝（１４）との屋内外方向への相対移動が拘束されることで、窓（２）が換気位置に固定されたロック状態となっており、
アームロック（８）は、前記全開放位置と、前記換気開放位置と、ロック解除位置とにわたって往復スライド可能にベース（４）に支持されており、
アームロック（８）が前記換気開放位置から前記ロック解除位置へ変位すると、リンク（１０）を介して、牽制アーム（６）がばね（９）の付勢力に抗して屋外側へ突き出し揺動し、掛止ピン（７）とロック溝（１４）との係合が解かれて前記ロック状態が解除される請求項１又は２記載の窓換気用のステー。
【発明の詳細な説明】
【０００１】
【発明の属する技術分野】
この発明は、開口枠に軸支した牽制アームで窓を換気位置において自動的にロック保持でき、必要時には牽制アームによる牽制作用を規制して、窓を閉じ状態から直接に全開放操作できる窓換気用のステーに関する。
【０００２】
【従来の技術】
この種のステーは、実公昭５５−１４７００号公報に公知である。そこでは、窓の側面に牽制アームの上端を軸支し、牽制アームの下端に設けたスライドピンを開口枠に設けたガイド枠で上下スライド自在に案内支持している。ガイド枠の内部には、ばねで揺動付勢されたロックレバーが設けてあり、窓を閉じ位置から換気位置まで開き操作すると、ロックレバーがスライドピンの頭部を自動的に係合捕捉して、窓を開閉不能にロック保持している。このロックレバーをロック解除操作するために、ガイド枠に解除つまみが設けてある。ガイド枠をロック解除した後、スライドピンをさらに上方スライドさせると、ピン頭部をガイド溝から抜き出して、窓を全開放できる。
【０００３】
【発明が解決しようとする課題】
上記のステーは、窓を閉じ位置から換気位置まで単に開き操作するだけで、窓を牽制アームで自動的にロック保持できる。しかし、窓を全開放操作する場合には、窓を換気位置まで開いたうえで、ロックレバーをロック解除操作してスライドピンを上方スライドさせ、さらにピン頭部をガイド溝から抜き出さねばならず、一連の操作が面倒である。つまり、非常時の混乱した状況下では、窓の全開放操作が迅速に行えない。全開放した窓を閉じる場合には、逆の手順に従って牽制アームをガイド枠に組む必要もある。
【０００４】
ガイド枠の内部にガイド溝と直交する向きに揺動するロックレバーを配置するので、ガイド枠の厚み寸法が大きくなるのを避けられず、窓と開口枠の対向間隔が小さい場合に適用できない。また、牽制アームの動きが垂直平面内での姿勢変化に限られるので、例えば一般に多用される揺動窓に適用できない。
【０００５】
牽制アームを、縦軸まわりに屈折可能に連結した一対のアームで構成して、揺動する窓に無理なく追従できるようにしたステーがあるが（実公平５−２０８４５号公報）、この種類の牽制アームは、窓が風を受けた場合にがた付きやすい。アーム構造が複雑になる不利も免れない。
【０００６】
この発明の目的は、窓を閉じ位置から開き操作するだけで、換気位置において開閉不能に自動ロックでき、しかも必要時には、牽制具を備えていない通常の窓と同様に、窓を閉じ位置から直接全開放操作できる窓換気用のステーを提供することにある。
この発明の他の目的は、牽制アームを作動可能な状態と作動不能な状態とに切り換えることができ、この状態切り換えによって窓を閉じ位置から直接全開放操作でき、あるいは窓を換気位置において自動的にロック保持できる、窓換気用のステーを提供することにある。
【０００７】
【課題を解決するための手段】
この発明の窓換気用のステーは、図２に示すごとく開口枠１に固定したベース４と、ベース４に設けた支軸５で内外方向へ揺動自在に支持される牽制アーム６と、窓２に固定した牽制アーム６用の掛止ピン７とを備えている。牽制アーム６の板面には、図１に示すごとく窓２を閉じた状態において掛止ピン７の進入を許す導入溝１２と、導入溝１２に連続してアーム揺動端側へ延びるガイド溝１３と、ガイド溝１３の先端に連続して屋外側へ折れ曲がるロック溝１４とが設けてある。牽制アーム６とベース４との間には、待機状態において牽制アーム６を屋外側へ向かって揺動付勢するばね９を設ける。ベース４に、待機状態の牽制アーム６を揺動不能に係合保持するアームロック８を設ける。ベース４に対してアームロック８は、牽制アーム６を係合保持する全開放位置と、牽制アーム６との係合を解除する換気開放位置とに変位可能に支持する。
【０００８】
上記のばね９は、図４ないし図６に示すごとく互いに接近する向きにくせ付けされた一対のばね腕９ｂ・９ｃと、コイル部９ａとを備えた∝字状のねじりコイルばねからなる。ばね９は、そのコイル部９ａを支軸５で回動可能に支持し、一対のばね腕９ｂ・９ｃをベース４と牽制アーム６に設けたばね受け１５・１６とにそれぞれ掛止する。
【０００９】
アームロック８と牽制アーム６とは、牽制アーム６の揺動変位を吸収する逃げ溝２５を備えたリンク１０を介して連結する。アームロック８は、全開放位置と、換気開放位置と、ロック解除位置とにわたって往復スライド可能にベース４で支持する。アームロック８が換気開放位置からロック解除位置へ変位するのに連動して、牽制アーム６がばね９の付勢力に抗してリンク１０を介してロック解除操作されるように構成する。
【００１０】
【作用】
窓２を閉じた状態において、牽制アーム６は、窓２と開口枠１との間に収まっている。窓２に設けた掛止ピン７は牽制アーム６の導入溝１２内に進入して、牽制アーム６をばね９の付勢力に抗して受け止めている。窓２を開き操作すると、牽制アーム６は屋外側へ追従揺動し、その結果、掛止ピン７が導入溝１２からガイド溝１３へと移行し、ガイド溝１３の奥端においてロック溝１４が掛止ピン７に係合して、窓２を開閉不能に係合保持する。
【００１１】
掛止ピン７がガイド溝１３を移行する間に、ばね９は一対のばね腕９ｂ・９ｃどうしが近付くように牽制アーム６に同行して揺動変位する。この変位に伴って、一対のばね腕９ｂ・９ｃとこれらを受け止める一対のばね受け１５・１６の掛止関係が入れ換わり、牽制アーム６側のばね受け１６がばね腕９ｂを拡開する向きに弾性変形させる。つまり、それまで屋外側へ揺動付勢されていた牽制アーム６が、屋内側へ揺動付勢されるようにばね９の状態が切り換わる。この付勢力によって、ロック溝１４が掛止ピン７に係合する。ばね９の付勢力に抗して牽制アーム６を屋外側へ揺動させると、掛止ピン７はロック溝１４から抜け出てガイド溝１３に臨むので、この状態で窓２を閉じ操作できる。このとき掛止ピン７は、ガイド溝１３を逆行して導入溝１２へ移行する。
【００１２】
窓２を閉じた状態において、アームロック８を全開放位置へ変位操作すると、牽制アーム６がアームロック８で揺動不能に係合保持される。そのため、窓２を開き操作すると、掛止ピン７は導入溝１２から抜け出て、牽制アーム６との連繋関係を断つ。従って、窓２を閉じ位置から直接全開放操作できる。アームロック８を全開放位置から換気開放位置へと変位操作すると、アームロック８による牽制アーム６の拘束が解かれるので、牽制アーム６は窓２に追従して揺動できる。
【００１３】
アームロック８を利用して、掛止ピン７とロック溝１４との係合状態をばね９に抗して解除するために、アームロック８と牽制アーム６とをリンク１０で連結する。アームロック８を換気開放位置からロック解除位置へスライド変位させると、牽制アーム６はばね９の付勢力に抗して屋外側へ強制的に突き出される。この突き出し揺動によって、掛止ピン７がロック溝１４から抜け出てガイド溝１３に臨むので、窓２を閉じ操作できる。このとき、牽制アーム６の復帰揺動動作がリンク１０を介してアームロック８に伝わり、アームロック８はロック解除位置から換気開放位置へ復帰操作される。
【００１４】
上記のように、牽制アーム６に設けたロック溝１４と掛止ピン７とで換気ロック状態を維持し、さらにベース４、アームロック８、牽制アーム６等のステー構成部品のそれぞれを板状材で形成したステー構造によれば、ステー全体の厚み寸法を小さくできる。
【００１５】
【実施例】
図２および図３において符号１は開口枠、２はプラスチック製のサッシュで形成した窓である。窓２は開口枠１に固定した上下一対のヒンジ３で揺動開閉自在に支持してある。窓２を閉じた状態においては、図外の錠で窓２を閉じ位置に固定保持できる。窓２を換気開放位置において開閉不能にロック保持するために、窓２の揺動先端側の窓縦枠と、開口枠１との間に本発明のステーが配設されている。
【００１６】
図３において窓換気用のステーは、開口枠１にビスで固定されるベース４と、ベース４に設けた支軸５で、開口枠１の内外方向へ揺動自在に支持した牽制アーム６と、窓２の窓縦枠に固定した掛止ピン７と、牽制アーム６の動きを制御するアームロック８と、牽制アーム６を揺動付勢するばね９と、リンク１０などで構成する。
【００１７】
ベース４は縦長四角形状のステンレス板からなり、その板面の屋内側の側縁下半部に沿って案内溝１１を通設する。この案内溝１１より上方に牽制アーム６の支軸５がかしめ固定される。板面の空き領域には、３個のビス挿通孔を設ける。牽制アーム６は帯板状のステンレス板材からなり、その上端に支軸５を相対回転自在にかしめ連結する。牽制アーム６の板面の下半側は、上半側の板面より広幅に形成してあって、その板面部分に掛止ピン７用の係合溝が通設してある。
【００１８】
係合溝は３個の溝部分からなる。すなわち係合溝は、広幅の板面部の上端に設けられて、屋外側の板面側縁で開口する横向きの導入溝１２と、導入溝１２の中途部下縁に連続してアーム下端側へ延びるガイド溝１３と、ガイド溝１３の下端に連続して屋外側へ直交状に折れ曲がるロック溝１４との３個の溝部分を持つ。ガイド溝１３の殆どの部分は、屋外側へ向かって突出する湾曲線状に形成してある。これは牽制アーム６が窓２に同行して揺動するとき、牽制アーム６の下半側周縁壁が窓縦枠と接当干渉するのを避けるための措置であって、窓縦枠の断面形状によってはガイド溝の殆どの部分を直線状の溝で形成してもよい。但し、その場合にも、ガイド溝１３の導入溝１２側の端部は、掛止ピン７の移行を確実なものとするために屋外側へ傾けておく。なお、図において牽制アーム６の下端の周縁が丸めてあるのも、窓縦枠との接当干渉を避けるためである。
【００１９】
牽制アーム６を揺動付勢するために、支軸５にばね９を組む。このばね９はコイル部９ａから一対のばね腕９ｂ・９ｃを突出した捻じりコイルばねからなり、コイル部９ａを牽制アーム６とベース４との間の支軸５に外嵌し、一対のばね腕９ｂ・９ｃをベース４側に固定したばね受け１５と、牽制アーム６側に固定したばね受け１６とにそれぞれ掛止する。この掛止状態におけるばね９の形状は∝字状になっていて、一対のばね腕９ｂ・９ｃが互いに接近する向きにくせ付けしてある。ばね９の動作状態は、牽制アーム６の揺動動作に連動して変化する。このことは後述する。
【００２０】
掛止ピン７は、牽制アーム６の係合溝と係合する軸部７ａを有し、軸部７ａの突端に抜け止め用のフランジ７ｂが張り出し形成されている。開放下の窓２を閉じ操作すると、軸部７ａが導入溝１２内に進入して、前記ばね９で揺動付勢された牽制アーム６を受け止める。
【００２１】
牽制アーム６を作動可能な状態と、作動不能な状態とに切り換え操作するために、ベース４にアームロック８を設け、さらにアームロック８で係合捕捉されるピン２０を牽制アーム６に設けてある。アームロック８は、クランク状に折り曲げられたロック腕２１と、ロック腕２１の屋内側の端部に固定した操作用のつまみ２２とからなり、ロック腕２１のベース部に固定したスライドピン２３を、ベース４に設けた案内溝１１で上下スライド自在に案内支持する。ベース４に沿うロック腕２１のベース部の板面下縁には、ピン２０と係合する半円状の係合凹部２４が設けられている。
【００２２】
上記のようにベース４に上下スライド自在に支持したアームロック８は、係合凹部２４がピン２０に係合する図４の全開放位置と、係合凹部２４がピン２０の上方へ退避スライドする図５の換気開放位置と、換気開放位置よりさらに上方へ変位したロック解除位置とに往復スライドできる。なお、ベース４に組み付けたアームロック８は、図２に示すようにそのつまみ２２が開口枠１の縦枠の枠内面において、屋内に臨んでいる。
【００２３】
アームロック８と牽制アーム６とはリンク１０を介して連結してある。詳しくは、リンク１０の一端（下端）をロック腕２１に固定したスライドピン２３に連結し、リンク１０の他端（上端）に設けた逃げ溝２５を牽制アーム６に設けたばね受け１６に連結する。牽制アーム６が支軸５を中心にして内外に揺動するのに対して、アームロック８は案内溝１１に沿って上下スライドする。これら両者６・１９の動きの差を許容して、牽制アーム６の揺動変位を吸収し、さらにアームロック８が牽制アーム６から独立して上下スライドするために、リンク１０に逃げ溝２５が設けられている。
【００２４】
上記のように構成したステーは、アームロック８を図４に示すように全開放位置に操作して、その係合凹部２４でピン２０を係合保持することにより、牽制アーム６を揺動不能に保持できる。この状態では掛止ピン７が導入溝１２に対して支障なく出入りし、窓２を自由に開閉操作できる。従って、窓２を閉じ位置からそのまま全開放操作できる。
【００２５】
窓２を閉じた状態において、アームロック８を図５に示すように換気開放位置にスライド操作すると、係合凹部２４によるピン２０の拘束が解かれる。この状態では、牽制アーム６の下端側がばね９の付勢力を受けて屋外側へ揺動しようとする。しかし、導入溝１２内に位置する掛止ピン７が溝奥端に接当して牽制アーム６を受け止めるので、牽制アーム６は開口枠１に沿うほぼ垂直の待機状態を維持する。
【００２６】
窓２を開き操作すると、掛止ピン７は導入溝１２内にあってこれの屋外側へ移動する。そのためばね９で付勢された牽制アーム６は、掛止ピン７の変位に追従して屋外側へ揺動する。つまり牽制アーム６は垂直の待機状態から上端の支軸５を中心にして下端側が外方へ揺動する。そのため、掛止ピン７が導入溝１２からガイド溝１３へと移り、掛止ピン７はガイド溝１３内へ相対的に進入する。
【００２７】
掛止ピン７とガイド溝１３との相対移動の途中に、ばね９の状態が切り換わる。それまでは、図５に向かって右方のばね腕９ｃが牽制アーム６側のばね受け１６に接当して、アーム全体を付勢していた。この状態から牽制アーム６が揺動すると、右方のばね腕９ｃが左方のばね腕９ｂの側へ近付く。そして、牽制アーム６側のばね受け１６の中心が、支軸５とベース４側のばね受け１５との中心どうしを結ぶ線よりも屋外側へ達すると、図６に示すように右方のばね腕９ｃはベース４側のばね受け１５で受け止められ、左方のばね腕９ｂは牽制アーム６側のばね受け１６で受け止められる。その結果、以後は左方のばね腕９ｂの付勢力に抗しながら、牽制アーム６が掛止ピン７によって屋外側へ揺動操作される。このように、ばね受け１６と接当するばね腕が切り換わることにより、牽制アーム６は窓開放初期とは逆に屋内側へ揺動付勢されるようになる。従って、掛止ピン７がガイド溝１３の下端に達すると、牽制アーム６はばね力によって屋内側へ揺動され、図１に示すようにロック溝１４が掛止ピン７と係合して窓２を換気位置に固定する。
【００２８】
上記のように、掛止ピン７がロック溝１４と係合した状態では、掛止ピン７の内外方向への移動が拘束される。従って、窓２の内外面に風を受ける場合にも、窓２と牽制アーム６とががた付くことはない。このとき、アームロック８は牽制アーム６によってリンク１０を介して上方にスライド操作されており、換気開放位置より上方に位置している。
【００２９】
窓２を閉じる場合には、アームロック８を上記のスライド位置から図１の矢印で示すようにロック解除位置へ上方スライド操作して、ロック溝１４と掛止ピン７の係合を解く。アームロック８を上方スライド操作すると、逃げ溝２５の下端がばね受け１６に接当して、牽制アーム６をばね９の付勢力に抗して、屋外側へ突き出し揺動する。これにより、ロック溝１４は掛止ピン７から外れ、ガイド溝１３の下端に掛止ピン７が臨む。以後は、窓２を閉じ操作することにより、牽制アーム６が屋内側へ復帰揺動される。この間にばね９の状態が切り換わって、牽制アーム６は再び屋外側へ揺動付勢される。牽制アーム６が復帰揺動するとき、アームロック８はリンク１０を介して下方にスライド操作されて、換気開放位置へ戻される。
【００３０】
上記の実施例では、アームロック８を操作して、ロック溝１４と掛止ピン７との係合を解除したが、牽制アーム６を片方の手で押し上げ操作して、ロック状態を解除してもよい。この場合のアームロック８は、揺動変位して牽制アーム６を作動不能に係合保持する形態を採ることができる。ばね９は支軸５とは別に設けたピンや軸でコイル部９ａを支持することができる。この発明のステーは、窓２の窓下枠と開口枠の下枠との間に設けてもよい。
【００３１】
【発明の効果】
この発明では、窓２を牽制アーム６で換気位置において開閉不能に保持する基本形態を採ったうえで、牽制アーム６をアームロック８で作動可能な状態と作動不能な状態とに制御できるようにし、必要時にはアームロック８を変位操作するだけで、窓２を閉じ位置から直接全開放操作できるようにした。従って、この発明のステーによれば、従来のこの種のステーに比べて、窓２の全開放操作を最小限の手間で簡単に行え、例えば非常時等の混乱した状況下においても、窓２の開放に手間取ることがない。
【図面の簡単な説明】
【図１】ステーの側面図である。
【図２】ステーの平面図である。
【図３】ステーの分解斜視図である。
【図４】アームロックを全開放位置に操作した状態での一部破断側面図である。
【図５】アームロックを換気開放位置に操作した状態での一部破断側面図である。
【図６】ばねの状態の変化を示す一部破断側面図である。
【符号の説明】
１  開口枠
２  窓
４  ベース
５  支軸
６  牽制アーム
７  掛止ピン
８  アームロック
９  ばね
１２  導入溝
１３  ガイド溝
１４  ロック溝
【図１】
0004017728.tif 000002
【図２】
0004017728.tif 000003
【図３】
0004017728.tif 000004
【図４】
0004017728.tif 000005
【図５】
0004017728.tif 000006
【図６】
0004017728.tif 000007